(57)【要約】【課題】センサの機械的な抵抗を危険にさらすことなく、金属作業面のあるセンサの性能を最適化する。【解決手段】本発明は、誘導性存在、近接、または位置センサに関し、誘導コイルを入れるハウジングまたはケーシングのカバーリングプレートまたは実質的に平坦な部分の外面に相当する、センサの作業面つまりアクティブ面を画定する誘導性コイルを備え、前記プレートまたは平面部分は、高い機械抵抗の金属から作られ、コイル軸に実質的に垂直に配置される。センサ１は、前記プレートまたは平面部分４が、前記プレートまたは平面部分４少なくとも部分的に横切って広がる、少なくとも１つの切断部または類似する線形の切れ目６を備えることを特徴とする。【選択図】図７
2007012608.tif 000002
【特許請求の範囲】
【請求項１】
誘導性存在、近接、または位置センサであって、誘導コイルを入れるハウジングまたはケーシングのカバーリングプレートまたは実質的な平面部分の外面に相当する、センサの作業面つまりアクティブ面を画定する誘導コイルを備え、前記プレートまたは平面部分が、高い機械抵抗のある金属から作られ、コイル軸に実質的に垂直に配置され、
前記プレートまたは平面部分（４）が、前記プレートまたは平面部分（４）を少なくとも部分的に横切って広がる、少なくとも１つの切断部または類似する線形の切れ目（６、６’）を備えることを特徴とする、センサ（１）。
【請求項２】
前記少なくとも１つの横断方向に広がる切断部（６、６’）が、プレートまたは平面部分（４）の総面積に対して実質的に中心に置かれることを特徴とする、請求項１に記載の誘導性センサ。
【請求項３】
少なくとも１つの切断部（６、６’）が、プレートまたは平面部分（４）の厚み全体を通って広がり、誘電材料（７）で好ましくは緊密に充填されるスロットを形成することを特徴とする、請求項１または２に記載の誘導性センサ。
【請求項４】
少なくとも１つの切断部（６、６’）が、プレートまたは平面部分（４）の厚みの一部だけにわたって広がり、切断されておらず連続している材料の層（８）を残し、前記少なくとも１つの切断部（６、６’）が、プレートまたは平面部分（４）の外（３）面または内（３’）面に設けられ、切断部（６）が、好ましくは誘電材料（７）で充填されることを特徴とする、請求項１または２に記載の誘導性センサ。
【請求項５】
プレートまたは平面部分（４）の２つの反対側面（３と３’）の一方に位置する、少なくとも１つの連続するまたは連続しない切断部（６、６’）が、ケーシングまたはハウジング（５）に位置するコイル（２）の軸（Ｘ）と検討される面（３または３’）との交差点（Ｐ）を通過する直線上（Ｌ）に配置されることと、前記少なくとも１つの切断部（６、６’）が、前記プレートまたは平面部分（４）を横断方向に横切る前記直線（Ｌ）により画定される方向で、プレートまたは平面部分（４）の長さつまり寸法（Ｄ）の実質的な部分に相当する長さを有することとを特徴とする、請求項１から４のいずれか一項に記載の誘導性センサ。
【請求項６】
プレートまたは平面部分（４）が、少なくとも２つの切断部（６）を備え、該切断部（６）が、コイル（２）の軸（Ｘ）とプレートまたは平面部分（４）の検討される面（３または３’）との交差点（Ｐ）を通過する同じ直線（Ｌ）によって組で支えられ、前記交差点（Ｐ）に対して相互に対称に配置され、したがって、２つのセグメント（６）から作られる少なくとも１つの連続していない切断部（６’）を形成し、連続していない切断部（６’）が、同じ直線（Ｌ）によって支えられ、前記交差点（Ｐ）の領域内の所与の距離（ｄ）によって分離されることを特徴とする、請求項５に記載の誘導性センサ。
【請求項７】
プレートまたは平面部分（４）が、１つの切断部（６、６’）を備えることを特徴とする、請求項１から６のいずれか一項に記載の誘導性センサ。
【請求項８】
プレートまたは平面部分（４）が、少なくとも２つの、好ましくは複数の切断部（６、６’）を備えることを特徴とする、請求項１から６のいずれか一項に記載の誘導性センサ。
【請求項９】
切断部（６、６’）が、交差点（Ｐ）をすべて通過するさまざまな直線（Ｌ）に配置され、前記交差点（Ｐ）の周りに、好ましくは実質的に規則的な円周上の角配度置でも配列されることを特徴とする、請求項６に従属するときの請求項８に記載の誘導性センサ。
【請求項１０】
プレートまたは平面部分（４）が、二次切断部（９）をさらに備え、該二次切断部（９）が、一次切断部と接続することなく一次切断部と見なされる切断部（６）間に広がり、交差点（Ｐ）の周りに、前記交差点（Ｐ）から多様な距離に位置する１つまたは複数の同心層に配置されることを特徴とする、請求項９に記載の誘導性センサ。
【請求項１１】
切断部（６）の見掛け表面の、プレートまたは平面部分（４）の総表面に対する比率が、０．００１と０．０９の中に含まれることを特徴とする、請求項１から１０のいずれか一項に記載の誘導性センサ。
【請求項１２】
切断部（６）のプレートまたは平面部分に対する表面比率が、０．０１から０．１０の間に含まれ、好ましくは約０．０５であることを特徴とする、請求項１１に記載の誘導性センサ。
【請求項１３】
切断部（６）のプレートまたは平面部分（４）に対する表面比率が、０．０５から０．２０の間に含まれ、好ましくは約０．１０であることを特徴とする、請求項１１に記載の誘導性センサ。
【請求項１４】
プレートまたは平面部分（４）が、円盤形状を有することを特徴とする、請求項１から１３のいずれか一項に記載の誘導性センサ。
【請求項１５】
平面部分（４）が、円形のセクションを備えた円筒形のハウジングまたはケーシング（５）の一体端部閉鎖壁からなり、前記ハウジングまたはケーシング（５）の外面に、好ましくはねじ山が設けられることを特徴とする、請求項１から１４のいずれか一項に記載の誘導性センサ。
【請求項１６】
プレートまたは平面部分（４）が、特殊鋼、好ましくはステンレス鋼から作られることを特徴とする、請求項１から１５のいずれか一項に記載の誘導性センサ。
【発明の詳細な説明】
【技術分野】
【０００１】
本発明は、工業生産の自動化、ロボット工学、及び他の工業目的のために使用できる、誘導性存在、近接、または位置センサに関する。
【背景技術】
【０００２】
このような誘導性センサの主要な機能とは、作業面またはセンサの表面から一定の距離に配置される金属ターゲットの存在を、接触しないで検出することである。
【０００３】
このような誘導性センサの動作の原理は、ＬＣ振動性回路が、数十ｋＨｚから数百ｋＨｚの周波数を有する変動磁場を生成するために使用されるという事実にある。センサコイルの磁場は、金属ターゲット内で渦電流を誘導する。その結果、ＬＣ回路のＱ係数は、金属性ターゲットとセンサの作業面との間の距離に応じて変化する。Ｑ係数の変動は、ターゲットとコイル面表面との間の距離が減少するにつれて増加する。
【０００４】
ターゲットの動作下の振動性回路のＱ係数の変化は、例えば本出願人名義の２００５年１月２６日の欧州特許出願第０５３６０００３．７号に説明されるように、ＬＣ回路の減衰振動の振幅変動によって、多様な方式と技術方法の使用によって記録できる。
【０００５】
前記磁場を発生させるコイルが中に置かれる、センサヘッドの材料による変動磁場のシールドを妨げるために、センサのヘッドは、通常、例えばプラスチックまたはセラミックス等の誘電体から作られる。このようなセンサの主要な不利な点は、衝撃からのセンサコイルの信頼できる機械的損傷の保護を確実にすること、あるいは高圧に抵抗することを可能にしない、低い機械強度と抵抗にある。
【０００６】
最近では、誘導性センサが、典型的な厚みが０．４ｍｍから１．０ｍｍのステンレス鋼から作られる作業面を用いて製造されることが提案された（鋼面センサ）。このようなセンサが、プラスチック製の作業面を備える標準的なセンサと比較すると、より高い機械強度と抵抗を有することは明らかである。同時に、鋼面センサは、標準的なセンサと比較すると明白に不利な点を有している。つまり、それら鋼面センサは、それ以外等しい条件下でより低い感度を示すのである。この不利な点は、以下に説明されるように、鋼面センサの動作の原理から直接的に生じる。
【０００７】
実際に、（一般的には、プレートまたは平面部分の形を取る）センサの金属性の作業面によるコイルの変動磁場の減衰を低減するために、前記表面の厚みが、表面薄層の厚みよりはるかに少なく作られることが提案されてきた。
【０００８】
表面薄層の厚みは、次の式から計算でき、
【数１】
2007012608.tif 000003
ここでは、
α＝変動磁場電圧が２．７３という係数で低減される、表面薄層の厚みであり、
Ｃ＝真空中の光速度、
μ＝金属透磁率、
λ＝金属導電率の係数、
ω＝角度周波数、
である。
【０００９】
式（１）を使用して実行される表面薄層の厚みの理論上の推定は、１０ＫＨｚの周波数では、表面薄層の厚みが銅の場合に０．６ｍｍであり、ステンレス鋼の場合に２ｍｍであることを示した。したがって、ステンレス面センサの実際的な使用のための最適周波数は、１５ＫＨｚから３０ＫＨｚを超えてはならず、プラスチック作業面付きの本標準センサでの周波数より１５倍から２０倍少ない。
【００１０】
振動性回路のＱ係数が、式（２）によって説明されている共振周波数の増加に伴って上昇することは知られている。
【数２】
2007012608.tif 000004
ここではＱ＝回路Ｑ係数
ω＝共振周波数、Ｌ＝誘電率、ｒ＝アクティブ（オーム）回路抵抗である。
【００１１】
したがって、誘導性センサの感度は、振動性回路のＱ係数に比例する。したがって、（１）により与えられる周波数制限は、金属性（ステンレス鋼）の作業面付きのセンサの感度に基本的な制限を課す。
【００１２】
本発明者によって行われた実際的な実験は、プラスチック作業面と金属性（ステンレス鋼）作業面のあるセンサのＱ係数が、低周波数のみの磁場（２０ＫＨｚ未満のＭ１２センサの場合）で一致することを示した。発振周波数の増加に伴い、振動性回路のＱ係数及び感度も、金属性の作業面のある、つまりステンレス鋼製の金属性ハウジング全体に設置されるセンサの場合より、プラスチック作業面のあるセンサの場合に、実質的に高くなる。
【特許文献１】欧州特許出願公開第０５３６０００３．７号明細書
【特許文献２】独国特許出願公開第４０２４８９９号明細書
【特許文献３】独国特許発明第３３４６３４０号明細書
【特許文献４】独国実用新案出願公開第９２１０５６４号明細書
【発明の開示】
【発明が解決しようとする課題】
【００１３】
前述された制限を克服することが本発明の目的である。特に作業面の領域における、これらのセンサの機械的な抵抗を危険にさらすことなく、金属カバーリングプレートの形を取る、あるいは完全に金属製のハウジングの平面部分の形を取る、金属作業面のあるセンサの性能を最適化することが、本発明の追加の目的である。
【課題を解決するための手段】
【００１４】
したがって、本発明は、誘導性存在、近接、または位置センサであって、誘導コイルを入れるハウジングまたはケーシングのカバーリングプレート、または実質的な平面部分の外面に相当する、センサの作業面つまりアクティブ面を画定する誘導コイルを備え、前記プレートまたは平面部分が、高い機械抵抗のある金属から作られ、コイル軸に実質的に垂直に配置され、前記プレートまたは平面部分が、前記プレートまたは平面部分を少なくとも部分的に横切って広がる、少なくとも１つの切断部または類似する線形の切れ目を備えることを特徴とする、センサに関する。
【００１５】
好ましくは、前記少なくとも１つの横断方向に広がる切断部が、プレートまたは平面部分の総面積に対して実質的に中心に置かれる。
【００１６】
本発明の第１の実施形態に従って、少なくとも１つの切断部が、プレートまたは平面部分の厚み全体を通って広がり、誘電材料で好ましくは緊密に充填されるスロットを形成する。
【００１７】
本発明の第２の実施形態に従って、少なくとも１つの切断部が、プレートまたは平面部分の厚みの一部だけにわたって広がり、切断されておらず連続している材料の層を残し、前記少なくとも１つの切断部が、プレートまたは平面部分の外面または内面に設けられ、切断部が、好ましくは誘電材料で充填される。
【００１８】
したがって、本発明は、例えば完全に金属製のハウジングの中で金属作業面のある誘導性センサを設計するための新しい方法を提案する（鋼面センサ）。この方法は、金属作業面が、連続する金属プレートまたは平面部分の形を取るのではなく、薄い切断部またはスロットのあるプレートまたは平面部分の形を取らなければならず、前記プレートまたは平面部分内のセンサのインダクタンスコイルの変動磁場により誘導される渦電流の循環を防止するという事実にある。
【００１９】
提案されている方法の物理的な根拠は、Ｒｉｃｈａｒｄ  Ｐ．Ｆｅｙｎｍａｎ、Ｒｏｂｅｒｔ  Ｂ．Ｌｅｉｇｈｔｏｎ及びＭａｔｔｈｅｗ  Ｓａｎｄｓによる「物理学に関するＦｅｙｎｍａｎ講義（Ｔｈｅ  Ｆｅｙｎｍａｎ  Ｌｅｃｔｕｒｅｓ  ｏｎ  ｐｈｙｓｉｃｓ）」第２巻、アジソンウェズレイ出版社（Ａｄｄｉｓｏｎ−Ｗｅｓｌｅｙ  Ｐｕｂｌｉｓｈｉｎｇ  Ｃｏｍｐａｎｙ，Ｉｎｃ．）読み物、マサチューセッツ（Ｍａｓｓａｃｈｕｓｅｔｔｓ）、パロアルト（Ｐａｌｏ  Ａｌｔｏ）、ロンドン（Ｌｏｎｄｏｎ）、１９６４年に、永久磁場に設置される金属振り子を活用して、質的に説明された。効果は、スロットがプレートに切削されると、磁場内に設置される金属プレートに対する渦電流の影響が、大幅に低減されるという点である。しかしながら、この従来の技術の出版物は、切削をどのようにして行わなければならないのかについても、磁場の形状または寸法に対するそれらの形状または寸法についても、何も示していない。
【００２０】
本発明は、その非制限的な例として示される前記発明の実施形態の以下の説明と図面のおかげで、さらによく理解されるであろう。
【発明を実施するための最良の形態】
【００２１】
前述された図、特に図１２と図１３に示されるように、センサ１は、主に誘導性コイル２を備え、この誘導性コイル２は、コイルを入れるハウジングまたはケーシング５のカバーリングプレートまたは実質的な平面部分４の外面に相当するセンサの作業面つまりアクティブな前面３を画定し、前記プレートまたは平面部分４は、高い機械抵抗のある金属製でありコイル軸Ｘに実質的に垂直に配置される。
【００２２】
当業者が知っているように、センサ１のハウジング５は、他の構成部品または充填材を入れることもできるが、それらは、本発明の文脈に特に関連性がなく、示されず、説明されない。
【００２３】
本発明に従って、及び図１から図１１、及び図１４から図１６に示されるように、プレートまたは平面部分４は、前記プレートまたは平面部分４を少なくとも部分的に横切って広がる、少なくとも１つの切断部または類似した線形の切れ目６、６’を備える。
【００２４】
本明細書では、「線形の切れ目」は、所与の深さがあり、まっすぐまたはまっすぐではない形状の、薄く細長い空間（ｖｏｌｕｍｅ）を画定する材料の欠如を意味する。
【００２５】
一般的には、このような切れ目は、制御されたレーザ切削または類似した緻密な切削手段によって得ることができる。しかしながら、それらは、機械的切断、化学研磨によって、または直接的に成形によって得ることもできる。
【００２６】
さらに、「金属」は、本明細書では金属製である、あるいは金属合金製である、あるいは場合によっては金属または金属合金によって被覆されていることを意味する。
【００２７】
本発明者によって行われた実験は（さらに詳しく後述されるように）、センサ１の性能を著しく改善するには、１つの切断部の存在だけですでに十分であることを示した。
【００２８】
これは、前記少なくとも１つの横断方向に広がる切断部６、６’が、実質的にはプレートまたは平面部分４の総表面積に対して中心に置かれているときに、特に当てはまる。
【００２９】
したがって、プレートまたは平面部分４が、１つの単一の切断部６、６’を備えること、あるいはプレートまたは平面部分４が、少なくとも２つの、好ましくは複数の切断部６、６’を備え、コイル２により提供される磁場による作業面３を形成するプレートまたは平面部分４で生じた渦電流の低減を強化することを提供することが可能である。
【００３０】
２つの前述された代替解決策の１つの選択は、一方では要求されているセンサ１の機械抵抗に応じ、他方では前記センサ１の性能の所望される上昇に応じる。
【００３１】
本発明の第１の実施形態に従って、及び例えば図１から図５に示されるように、少なくとも１つの切断部６、６’は、プレートまたは平面部分４の厚み全体を通して広がり、好ましくは誘電材料７で緊密に充填されるスロットを形成する。
【００３２】
本発明の第２の実施態様に従って、及び図１４と図１５に示されるように、少なくとも１つの切断部６、６’は、プレートまたは平面部分４の厚みの一部だけにわたって広がり、切断されず連続している材料の層８を残し、前記少なくとも１つの切断部６、６’は、プレートまたは平面部分４の外面３または内面３’に設けられ、切断部６は、好ましくは誘電材料７で充填される。
【００３３】
好ましくは、プレートまたは平面部分４の連続する切断されていない層８の厚みは、使用されている周波数について表面薄層の厚みより少ない。
【００３４】
図１６に示されている本発明の他の実施形態に従って、プレートまたは平面部分４は、その外面３に設けられる少なくとも１つの切断部６と、その内面３’に設けられる少なくとも１つの切断部６を備え、前記切断部６それぞれは、プレートまたは平面部分４の厚みの一部だけにわたって広がり、反対側の面の切断部６は、相互に交差していない。
【００３５】
プレートまたは平面部分４内のコイル２の作用により生じる渦電流の効率的な低減を達成するために、プレートまたは平面部分４の２つの反対側の面３と３’の一方に位置する少なくとも１つの、またはそれぞれ連続するまたは連続しない切断部６、６’が、考慮されている面３または３’の交差点Ｐを通る直線Ｌに位置し、コイル２の軸Ｘはケーシングまたはハウジング５に位置する。さらに前記少なくとも１つの切断部６、６’は、前記プレートまたは平面部分４を横断方向に横切る前記直線Ｌにより画定される方向で、プレートまたは平面部分４の長さまたは寸法Ｄの実質的な部分に相当する長さを有する。
【００３６】
したがって、前記切断部またはスロット６、６’のそれぞれの平面は、コイル２の軸Ｘを備えるまたはコイル２の軸Ｘを通過する平面からなる。
【００３７】
前記交差点Ｐは、コイル自体がハウジング５内で中心に配置されるので、プレートまたは平面部分４の考慮されている内面または外面で中心に位置する。
【００３８】
図１から図３で気づくことができるように、切断部またはスロット６は、プレートまたは平面部分４の外周部まで径方向に広がることが可能である。
【００３９】
それにも関わらず、図４から図１１及び図１５によって描かれているように、センサ１のハウジング５が、作業面３（前記部分４の外面）を画定する平面部分４を有する一体型の金属ハウジングであるときに、切断部またはスロット６は、好ましくは、（作業面から見られるように）ハウジング５の側面方向の壁の部分に相当する最も外側の環状の領域には延在しない。（平面部分４の周辺の周りで幅ａの輪を形成する）未切断領域の幅は、ハウジング５の側面方向の壁の厚みに相当する。
【００４０】
プレートまたは平面部分４の干渉作用を低減することによって、センサの可能な限り大きな機械抵抗及び強度を維持すると同時に、前記センサの性能を著しく高めるために、本発明は、プレートまたは平面部分４が、少なくとも２つの切断部６を備えることを提案し、これら切断部６は、コイル２のＸ軸とプレートまたは平面部分４の検討されている面３または３’との交差点Ｐを通る同じ直線Ｌによって組で支えられ、前記交差点Ｐに関して相互に対称的に配置され、このように２つのセグメント６から作られる少なくとも１つの連続しない切断部６’を形成し、２つのセグメント６は、同じ直線Ｌによって支えられ、前記交差点Ｐの領域内で所与の距離ｄだけ分離される（図６から図９及び図１１）。
【００４１】
したがって、平面部分またはプレート４の中心領域を未切断に保つことによって、橋渡しする材料の領域は、中断されたまたは連続しない切断部によって形成されるセクタ間で維持され、前記プレートまたは平面部分４の実質的に構造上の完全性を保つことを可能にする。未切断の中心部分の直径は、コイルの特定の形状またはコイルの場合によっては結合されるフェライトの形状に応じて、前部作業面３の横断方向の寸法の約１／５から１／１５、好ましくは約１／１０である。
【００４２】
それぞれの連続していない切断部６’の各セグメント６は、（場合によっては、外部領域を未切断のままにして、図８で幅ａのある切断されていない領域を参照すること）プレートまたは平面部分４の境界から、交差点Ｐの周りに広がる中心の切断されていない領域に連続して広がる。
【００４３】
図６、図８、図９、及び図１１に図示されるように、有利なことに切断部６、６’は、さまざまな直線Ｌ上に配置でき、これらの直線Ｌは、交差点Ｐをすべて通過し、前記点Ｐの周りに、好ましくは実質的に規則的な円周上の角度配列で配置される。
【００４４】
さらにプレートまたは平面部分４は、二次切断部９を備えてもよく、この二次切断部９は、一次切断部と接続することなく、一次切断部６と見なされる切断部間に広がり、交差点Ｐの周りに、前記点Ｐから多様な距離に配置される１つまたは複数の同心層内に配置される（図９と図１１）。
【００４５】
これらの二次切断部９は、プレートまたは平面部分４内のより小さい渦電流ループを低減できる。
【００４６】
本発明者は、本発明の原則を確証するため、及びプレートまたは平面部分４によって形成されるセンサ１の金属作業面３におけるスロットと切断部の構成を最適化するために、複数の実験を実施した。それらは、図１７から図２５を参照して記述されかつ説明される。
【００４７】
これらの第１の一連の実験は、いわゆるＭ１２誘導性センサ（直径１２ｍｍの円筒形の外側にネジが切られたケーシング付きのセンサ）を使用して実施された。
【００４８】
最初に、本発明者は、最悪のターゲットの幾何学形状が、実用的な平面（作業面）の幾何学形状に最善となることを考慮に入れて、ターゲットトポロジーからのターゲット「可視性」の依存性を研究した。
【００４９】
この方法は、フェライトのカップの中に堅く取り付けられたコイルを使用して、真鍮のケースとプラスチック作業面を備えたＭ１２誘導性センサを用いて実現された実験の簡略化を可能にした。
【００５０】
より正確には、インダクタンスコイルパラメータは、以下のとおりである。つまり巻き数が２００、コイルの銅線直径が０．０８ｍｍ。コイルは、外径が７．３５ｍｍ、高さが３．６ｍｍのフェライトカップＢ６５９３３−Ａ−Ｘ２２（エプコス社（Ｅｐｃｏｓ  ＡＧ））の中に置かれた。Ｑ係数の測定は、Ｑ係数計Ｅ７−２０を使用して行われた。
【００５１】
実験アセンブリは、図１７で示されている。コイルＱ係数は、センサ作業面とターゲットの平面との間の多様な距離について測定された（５０ＫＨｚの発振周波数）。
【００５２】
国際規格ＩＥＣ６０９４７−５−２に対応する標準的な鋼ターゲットの代わりに、本発明者は、多様なトポロジーの金属面のある同じサイズの銅のターゲットを使用した。前記ターゲット１番から１０番の形状は、図１８に示されている。
【００５３】
ターゲットは、ホイルドハーデンドペーパ（ｆｏｉｌｅｄ  ｈａｒｄｅｎｅｄ  ｐａｐｅｒ）リソグラフィー方法に従って製造され、多様な形状のスロットのある直径１２ｍｍの薄い円盤からなる。銅箔の厚みは、０．０６ｍｍ（α〜０．２５ｍｍ）で、金属内のスロットの幅は、０．４ｍｍである。
【００５４】
第１の一連の実験では、ターゲット１番から４番が試験された。このシリーズの実験結果は、図１９に表示されている。
【００５５】
得られた結果を検討できるようにするためには、いわゆる「ターゲット表面係数」を定めることが賢明であると考えられる。この用語の元で、ターゲット領域全体による、相対的な金属ターゲット内でのスロット面積の比率を理解するものとする。ターゲット１について、その値はゼロに等しく、ターゲット２番から４番のための値はほぼ同じであり、〜０．５に等しくなることは明らかである。
【００５６】
図１９から判断すると、実際的に同じターゲット表面係数のターゲットの場合のセンサ応答（Ｑ係数の変動対ターゲットの距離）は、ターゲットのトポロジー、またはターゲット上のスロットの構造に大きく左右される。ターゲットの金属部分が閉じられた回路を形成しない場合、センサのターゲットに対する感度は、実際的に存在しない。これは、次に、プラスチック面の代わりにセンサの金属作業面等のこのようなマルチリンクトポロジーを使用しても、従来のターゲットに対するセンサの感度の実質的な低下につながるはずはないことを意味している。
【００５７】
ターゲット１番と２番に関係する結果の差異は、ターゲット表面係数の差異だけによって説明できる。つまりターゲット１の金属コーティングの領域は、ターゲット２の２倍のサイズとなり、そのトポロジーは、軸方向に対称的な電流ループに対して同じである。これは、軸方向に対称的な磁場においては、渦電流が、（磁場を発生するコイルのＸ軸を基準にして）軸方向に対称的なループを形成するという、本発明者によってなされた論理的な仮定も確認する。
【００５８】
実用の使用のためには、ターゲット表面係数が０．０５から０．１５という値を超えないときに、マルチリンク金属ターゲットに対するセンサの感度の問題を検討することは重要である。最小ターゲット表面係数（作業面）のケースでは、その機械特性が、連続作業面または中実作業面の機械特性に近づかなければならないことは明らかである。図１８からわかるように、０．０５から０．１５という表面係数は、ターゲット６番から８番に対応する。これらのターゲットのための試験の結果は、図２０に示されている。
【００５９】
中実金属ターゲットにおける１つの簡略な切断部が、ターゲットに対するセンサ感度を数倍に変更するのに十分であり得ることがわかる。図は、作業面切断部の数がさらに増加すると、金属ターゲット特性が、誘導性センサに対するその影響において誘電体のターゲット特性に漸近的に近づくことを示している。
【００６０】
図２１に示されている結果は、切断されたターゲットの外周に沿った、閉じた金属リング（切断されていない環状の領域）のセンサ感度に対する影響を描く。
【００６１】
周辺の導電性のリングは、ターゲットに対するセンサ感度をわずかに高める。同時に、これがセンサの作業面に対する逆効果につながることが前述されているので、金属表面の切断部の数の増加が、ターゲット（つまりインダクタンスコイルの相互作用）の低減につながるという事実にある、一般的な傾向が維持される。
【００６２】
提案されている発明の利点を実際に確認し、それらを最適化するために、図１９から図２１に描かれている結果が、複数の直接的な実験で使用された。
【００６３】
最初に、本発明者は、切断された金属作業面のあるセンサモデル（図１８のターゲット番号９番と１０番と同じトポロジー）を、連続する完全に金属性の作業面（切断部なし）だけではなく、平坦なプラスチック作業面と比較した。それらの主要なパラメータは、以下の表１に示されている。
【表１】
2007012608.tif 000005
【００６４】
ステンレス鋼作業面のあるモデル３とモデル４の場合、幅０．２ｍｍのスロットが、レーザ切削技術を用いて作られた。真鍮の作業面のあるモデル５のケースでは、スロットは、機械的に作られた。
【００６５】
提案されている発明の目的を達成する可能性を確認する第１の一連の実験は、多様なハウジング内に設置された同じ振動性回路のＱ係数の周波数依存性を測定することにあった。結果として生じるデータは、図２２のチャートによって示されている。
【００６６】
センサ１の金属作業面３、４の切断部は、全体が金属性の（切断部なし、または連続）作業面と比較して、Ｑ係数の（２倍を超える）実質的な増加につながる。切断面のケースでの作業面の表面係数は、０．０５を超えない、またはそれは全体的なまたは切断されていない金属面の表面係数に事実上等しいため、この影響が幾何学的因子の結果ではないことを、強調することが必要である。
【００６７】
別の興味深い結果は、真鍮の導電率はステンレス鋼の導電率よりかなり高いが、切断されていないステンレス鋼作業面のあるセンサ（モデル２）のＱ係数と、切断された真鍮表面のあるセンサ（モデル５）のＱ係数の値が近いという事実である。したがって、良導体の材料から作られるハウジング付きのセンサを製造することも可能である。
【００６８】
（同じモデルを使って行われた）第２の一連の実験は、センサ作業面と１２×１２×１ｍｍという標準鋼正方形ターゲットの表面との間の距離の関数としてのＱ係数測定を含んでいた。それらは５０ｋＨｚと８０ｋＨｚという２つの固定された周波数で実施された。センサ感度の測定単位として、本発明者らは、ターゲットが存在しない場合のＱ係数の値に相対して計算される差分Ｑ係数値ΔＱを使用した。
ΔＱ＝Ｑ（ｘ）−Ｑ（∞）    （３）
Ｑ（ｘ）＝標準ターゲットが、センサからｘｍｍの距離にあるときの回路Ｑ係数、Ｑ（∞）＝ターゲットがない場合の回路Ｑ係数。
【００６９】
これらの実験的な測定の結果は、図２３のチャート（５０ｋＨｚの振動性回路周波数）、及び図２４のチャート（８０ｋＨｚの振動性回路周波数）に示されている。
【００７０】
本発明が関する誘導性存在センサまたは位置センサは、リレータイプのセンサである、つまり金属ターゲットにより誘導される信号が、センサの調整済みの閾値電圧の設定値を超えると動作する、つまりトリガする。したがって、多様なセンサの動作範囲を比較するには、最終的には信号処理に使用される電子機器により決定される、それらのそれぞれの動作閾値を求めることが必要である。本明細書におけるさらなる説明については、閾値としてΔＱ＝０．１を取る必要がある。
【００７１】
図２３にそれを適用すると、全体がステンレス鋼部品の作業面のあるセンサ（モデル２）の場合に４ｍｍ、プラスチック面のあるセンサ（モデル１）の場合に５．５ｍｍという動作距離が生じる。金属作業面（モデル３、４）の切断部またはスロットは、切断されていない金属作業面に比較してセンサの動作距離の増加につながる。８０ｋＨｚという発振周波数のケースでは、センサ動作距離は、切断されていないステンレス鋼作業面（モデル２）の場合に３．５ｍｍであるが、切断部またはスロット（モデル４および５−図２４）を備えた作業面の場合に、５．２ｍｍから５．６ｍｍに増加する。
【００７２】
本発明の実施形態の例での上記試験は、センサの金属作業面における薄い切断部またはスロットは、その動作距離の実質的な（１．５を超える）増加につながることを証明している。
【００７３】
別の一連の実験は、切断部またはスロットの特定の形態を選ぶことによって、センサの機械特性を最適化することを可能にした。
【００７４】
使用されたアセンブリは図１７と同じであったが、センサ直径が３０ｍｍであったことと、ターゲットが、サイズが６０×６０ｍｍの鋼正方形プレート（厚さ１ｍｍ）であったことが異なる。
【００７５】
比較されたセンサモデルの作業面を形成するハウジングの平面部分は、厚さ１ｍｍのステンレス鋼から作られ、切断部またはスロットの以下の形状またはトポロジーを有していた。
モデル６：図８と同じ切断部（ｄ＝３ｍｍ、Ｄ＝３０ｍｍ、及びａ＝２ｍｍの場合）
モデル７：図６と同じ切断部（ｄ＝３ｍｍ、Ｄ＝３０ｍｍ、及びａ＝２ｍｍの場合）
モデル８：図４と同じ切断部（Ｄ＝３０ｍｍ及びａ＝２ｍｍの場合）
モデル９：図５と同じ切断部（Ｄ＝３０ｍｍ及びａ＝２ｍｍの場合）
モデル１０：切断部なし
【００７６】
センサのインダクタンスコイルのパラメータは、以下のとおりであった。つまり巻き数が２６０、コイル銅線の直径が０．２ｍｍ。コイルは、外径２４．５ｍｍ、高さ８．８ｍｍのフェライトカップＢ６５９３９−Ａ−Ｘ２２  ＥＰＣＯＳの中に設置されていた。Ｑ係数の測定は、Ｑ係数計Ｅ７−２０を使用して実行された。センサ表面とターゲットの平面との間の多様な距離について、コイルＱ係数が測定された（１０ｋＨｚという発振周波数）。
【００７７】
測定の結果は、図２５に示されている。
【００７８】
上記のＭ１２センサに関して、金属表面の切断は、動作距離の明白な増加につながる。同時に、別の非常に重要な結論を下すことができる。つまり、切断部が中断されたセンサ（モデル６、７）は、全体的な切断部のあるセンサ（モデル８、９）に発明的特性という点では等しい。これを認めることは、センサの機械的な堅さに関して重要な利点につながる。中央の切断されていないゾーンを８ｍｍまでさらに増加すると、コイル信号の２０％の減少が生じることも注意された。
【００７９】
本発明に従って、及び比率（感知性能／機械強度の増加及びセンサハウジングの抵抗）に応じて、切断部６の見掛け上の表面の、プレートまたは平面部分４の総表面に対する比率（上記に定められたような表面係数）は、０．００１と０．９の中に含まれている。
【００８０】
第１の代替実施形態では、切断部６のプレートまたは平面部分４に対する表面比率は、０．０１から０．１０の間に含まれ、好ましくは約０．０５であることが提案できる。
【００８１】
第２の代替実施形態では、切断部６のプレートまたは平面部分４に対する表面比率は、０．０５から０．２０の間に含まれ、好ましくは約０．１０であることが提案できる。
【００８２】
任意の考えられる形状が考慮される可能性があるが（例えば図１０と図１１を参照されたい）、プレートまたは平面部分４は、好ましくは円盤形状を有する。
【００８３】
さらに、平面部分４は、好ましくは円形のセクションを有する円筒形のハウジングまたはケーシング５の一体端部の閉じる壁からなり、前記ハウジングまたはケーシング５の外面は、好ましくはねじ山が設けられている。
【００８４】
金属作業面に切断部またはスロットを設ける説明された技術は、当該誘導性センサの動作距離をかなり上昇させる。センサの機能性と性能を本質的に低下することなく、中心ゾーンが未切断のまま残される可能性も存在している。
【００８５】
本発明は、本明細書に説明され、示されている好ましい実施形態に限定されず、本発明の範囲から逸脱することなく変更を加えるまたは同等物を使用することができることは、言うまでもない。
【図面の簡単な説明】
【００８６】
【図１】本発明の実施形態による円筒形のハウジングを備えたセンサの円形の作業面の前面図である（平面部分またはプレートを形成する金属材料は、黒で表現され、切断部またはスロットは、白で表現されている）。
【図２】本発明の実施形態による円筒形のハウジングを備えたセンサの円形の作業面の前面図である（平面部分またはプレートを形成する金属材料は、黒で表現され、切断部またはスロットは、白で表現されている）。
【図３】本発明の実施形態による円筒形のハウジングを備えたセンサの円形の作業面の前面図である（平面部分またはプレートを形成する金属材料は、黒で表現され、切断部またはスロットは、白で表現されている）。
【図４】本発明の実施形態による円筒形のハウジングを備えたセンサの円形の作業面の前面図である（平面部分またはプレートを形成する金属材料は、黒で表現され、切断部またはスロットは、白で表現されている）。
【図５】本発明の実施形態による円筒形のハウジングを備えたセンサの円形の作業面の前面図である（平面部分またはプレートを形成する金属材料は、黒で表現され、切断部またはスロットは、白で表現されている）。
【図６】本発明の実施形態による円筒形のハウジングを備えたセンサの円形の作業面の前面図である（平面部分またはプレートを形成する金属材料は、白で表現され、切断部またはスロットは、黒で表現されている）。
【図７】本発明の実施形態による円筒形のハウジングを備えたセンサの円形の作業面の前面図である（平面部分またはプレートを形成する金属材料は、白で表現され、切断部またはスロットは、黒で表現されている）。
【図８】本発明の実施形態による円筒形のハウジングを備えたセンサの円形の作業面の前面図である（平面部分またはプレートを形成する金属材料は、白で表現され、切断部またはスロットは、黒で表現されている）。
【図９】本発明の実施形態による円筒形のハウジングを備えたセンサの円形の作業面の前面図である（平面部分またはプレートを形成する金属材料は、白で表現され、切断部またはスロットは、黒で表現されている）。
【図１０】本発明の他の実施形態による平行６面体のハウジングを備えたセンサの正方形の作業面の前面図である。
【図１１】本発明の他の実施形態による平行６面体のハウジングを備えたセンサの正方形の作業面の前面図である。
【図１２】一体ハウジングの平面部分としての作業面を備える、図１から図１１に図示されるセンサのコイルのＸ軸を備える平面に沿った切欠図である（スロットまたは切断部は図示されていない）。
【図１３】ハウジングと共に固定される別個のプレートとしての作業面を備える、図１から図１１に図示されるセンサのコイルのＸ軸を備える平面に沿った切欠図である（スロットまたは切断部は図示されていない）。
【図１４】本発明によるセンサのハウジングの前部の切欠図であり、センサのハウジングの前面部分の外面に貫通しない切断部を示している。
【図１５】本発明によるセンサのハウジングの前部の切欠図であり、センサのハウジングの前面部分の内面に貫通しない切断部を示している。
【図１６】本発明によるセンサのハウジングの前部の切欠図であり、前面部分の貫通せず交互にされた内部及び外部切断部またはスロットを示している。
【図１７】実験のアセンブリである。
【図１８】ターゲット１番から１０番の形状である。
【図１９】ターゲット１番から４番の試験の実験結果である。
【図２０】ターゲット６番から８番の試験の実験結果である。
【図２１】センサ感度に対する切断されたターゲットの外周に沿って閉じられた金属リングの影響を描く図である。
【図２２】Ｑ係数の周波数依存性の結果として生じるデータを描く図である。
【図２３】センサの作業面と標準鋼正方形ターゲットの表面との間の距離の関数として、Ｑ係数測定の結果として生じるデータを描く図である。
【図２４】センサの作業面と標準鋼正方形ターゲットの表面との間の距離の関数として、Ｑ係数測定の結果として生じるデータを描く図である。
【図２５】センサ表面とターゲットの表面との間の多様な距離のコイルＱ係数測定の結果として生じるデータを描く図である。
【符号の説明】
【００８７】
１  センサ
２  誘導性コイル
３  作業面
４  平面部分
５  ケーシング
６、６’  切断部
７  誘電材料
８  層
９  二次切断部
【図１】
2007012608.tif 000006
【図２】
2007012608.tif 000007
【図３】
2007012608.tif 000008
【図４】
2007012608.tif 000009
【図５】
2007012608.tif 000010
【図６】
2007012608.tif 000011
【図７】
2007012608.tif 000012
【図８】
2007012608.tif 000013
【図９】
2007012608.tif 000014
【図１０】
2007012608.tif 000015
【図１１】
2007012608.tif 000016
【図１２】
2007012608.tif 000017
【図１３】
2007012608.tif 000018
【図１４】
2007012608.tif 000019
【図１５】
2007012608.tif 000020
【図１６】
2007012608.tif 000021
【図１７】
2007012608.tif 000022
【図１８】
2007012608.tif 000023
【図１９】
2007012608.tif 000024
【図２０】
2007012608.tif 000025
【図２１】
2007012608.tif 000026
【図２２】
2007012608.tif 000027
【図２３】
2007012608.tif 000028
【図２４】
2007012608.tif 000029
【図２５】
2007012608.tif 000030
【外国語明細書】
2007012608.tif 000031
2007012608.tif 000032
2007012608.tif 000033
2007012608.tif 000034
2007012608.tif 000035
2007012608.tif 000036
2007012608.tif 000037
2007012608.tif 000038
2007012608.tif 000039
2007012608.tif 000040
2007012608.tif 000041
2007012608.tif 000042
2007012608.tif 000043
2007012608.tif 000044
2007012608.tif 000045
2007012608.tif 000046
2007012608.tif 000047
2007012608.tif 000048
2007012608.tif 000049
2007012608.tif 000050
2007012608.tif 000051
2007012608.tif 000052
2007012608.tif 000053
2007012608.tif 000054
2007012608.tif 000055
2007012608.tif 000056
2007012608.tif 000057
2007012608.tif 000058
2007012608.tif 000059
2007012608.tif 000060
2007012608.tif 000061